(57)【要約】【課題】  ごみの集積場所において、場所を取らず、組立分解が容易に速やかにできるごみの収納装置を提供する。【解決手段】  繰り返し円形に曲げることができる弾性材の左右の枠１を、水平に自在に動くように前後のブラケット１ａ、１ｂに軸支し、円筒状になるように形成したネット２を、その左右の枠１に連接して吊り下げ係止する。  この枠１とネット２を円形の空間に形成すると同時に、それを水平に保持し固定するステー３を上方に設ける。  地面に立設せる支柱４に、ネット２を含む枠１とステー３が、それぞれ折りたためるように、その一端を回動自在に軸支し、これらを収納して保護するカバー５を併設する。【選択図】  図１
2005231893.tif 000002
【特許請求の範囲】
【請求項１】
繰り返し円形に曲げることができる弾性材の枠を、前後のブラケットの左右に、水平自在に動くように軸支し、この左右の枠に、円筒状になるように形成したネットを連接して吊下げ係止する。
前記の枠とネットを、円形の空間に形成すると同時に、それを水平に保持し固定するステーを上方に設ける。
地面に立設せる支柱に、ネットを含む枠とステーが、それぞれ折りたためるようにその一端を回動自在に軸支し、これらを収納して保護するカバーを併設する。
以上のごとく構成されたごみ収納装置。
【発明の詳細な説明】
【技術分野】
【０００１】本発明は、一時的にごみを集積する場所に設置するごみ収納装置に関する。
【背景技術】
【０００２】  一般に、一時的なごみの集積場所としては、歩道に設置されているものが多い。
公知のものでは、単にごみをネットで覆うもの、木の板をつないで囲うもの、鉄製の枠を箱型に組みたてたものなどがある。
【発明の開示】
【発明が解決しようとする課題】
【０００３】  最も簡便な方法として、歩道に立つ電柱や街路樹などに備え置きのネットで、ごみを覆うものが多くみられるが、この方法は、ごみが崩れたりネットの縁側に入れたりするから、はみ出したりしてごみ全体が平面に広がる。従って通行の妨げや、カラスなどによる撒き散らしの害に遭い、景観も良くない。
木の板や鉄製の枠で、箱型に組立て分解するものもあるが、使用時、非使用時を問わず比較的大きなもので、狭い歩道でのごみ集積場所として適するものとはいえない。
また、組立て分解にも手間がかかる。
以上のような問題点があった。
【課題を解決するための手段】
【０００４】  上記の課題を解決するために本発明は、繰り返し円形に曲げることができる弾性材の枠を、前後のブラケットに左右水平に自在に動くように軸支し、この左右の枠に、円筒状になるように形成したネットを連接して吊下げ係止する。
前記の枠とネットを、円形の空間に形成するとともに、それを水平に保持し固定することを同時に行うためのステーを上方に設けた。
地面に立設せる支柱に、このステーとネットを含む枠が、それぞれ折りたためるようにその一端を回動自在に軸支し、非使用時に、これらを収納して保護するカバーを併設する。
以上のように構成した。
【発明の効果】
【０００５】  本発明は、ごみの投入口と、そのごみを収納する空間の形成を、上方ステーの先端に乗せ掛けするだけでできるから、使用時、非使用時の組立分解が容易に速やかにおこなえる。また、この支柱一本と円筒形のごみ収納装置はシンプルで比較的場所をとらない。
特に、非使用時に小さく折りたたんでカバー内に収納できる構造だから、通行の妨げにならず、歩道としての景観も良い。
【発明を実施するための最良の形態】
【０００６】  発明を実施するための形態について、各部の構成と、非使用時の状態から、ごみ収納装置に組立てるまでの順序と方法について図面を参照して説明する。
先ず各部の構成について説明する。
カバー５（図３、図４参照）は、上下に蓋をした半円筒形のカバーに、止め金５ａを係設して、支柱４の左右に蝶着する。
支柱４（図５、図６参照）は、コ形に成型したブラケット４ａを、支柱４に固着して構成する。このブラケット４ａは、コの字形の長穴４ｄを両側面に設け、上方に軸４ｂ、４ｃを連架固着し、下方には、両側面に対象に角度をつけた突片４ｅを設ける。
ステー３（図６、図７、図８参照）は、先端にＵ字ブラケット３ａと、後部にコ型ブラケット３ｂを固着して構成する。このブラケット３ｂは、長穴３ｃ、および切欠き穴３ｄをそれぞれ両側面に設ける。支柱えの取付けは、支柱ブラケットに設けた軸４ｃに、長穴３ｃを挿通して係止する。
枠１（図９、図１０参照）の構成について説明する。本実施例の枠１は、バネ鋼弾性材のもので形成している。この枠１は前部のコ型ブラケット１ａと、後部のＶ型ブラケット１ｂに左右水平に自在に動くよううに軸支する。
支柱えの取付けは、Ｖ型ブラケット１ｂに固着した軸１ｃを、支柱ブラケットの長穴４ｄに遊動係止する。Ｒは、枠１の両端を、ごみの投入口となる円に形成したときの半径に等しい寸法で成型する。
ネット２（図１０参照）は、上下開放にして円筒状に形成したネットを、左右の枠１に周設して吊り下げごみの収納部と成す。このごみ収納部は、ネットに限らず化学繊維などの帆布を用いてもよい。
次に、ごみ収納装置として組立てるまでの順序と方法について説明する。
図３、図４は非使用時の外観図で、図６は、枠１、ネット２、ステー３、それぞれ各部品を折りたたんでカバー内に収納している状態を示す。図は省略しているがネット２は、枠１に巻き付けるなどしてカバー内に収める。この状態からカバーの止め金を外して組立てをおこなう。
先ず組立は、ステー３を矢印Ａの方向に持ち上げ水平に固定することから始める（図６、図７、図８参照）。固定する方法は、ステー後部のコ型ブラケット３ｂに設けた切欠き穴３ｄを、支柱のブラケット４ａに有する軸４ｂに引っ掛けて固定する。
次に（図８、図９、図１０、図１１参照）、枠１を矢印Ｂの方向に持ち上げながら、後部Ｖ型ブラケット１ｂの軸１ｃを、支柱のブラケット４ａに有する長穴４ｄの下方水平部分に移動させ押込んで枠１を水平に保つ。この状態から前部のコ型ブラケット１ａを、矢印Ｆの方向に押しながらステー３の先端Ｕ字ブラケット３ａに乗せ掛けして組立を終了し、円形のごみ投入口と収納空間を形成する。このとき、図１１に示すように、支柱ブラケット４ａの下方に有する突片４ｅは、円に形成するためのスットパーである。
なお、ネット２の丈は、地面までの距離より長めにすることで下方からのごみのはみ出しはないが、さらに確実にするために、底辺にロープを回し適宜絞り込むようにする。
また、支柱４についても、本実施例では地面埋設の方法であるが、支柱下端を台座にして据置くようにしてもよい。
図示はしていないがカラスなどの被害を防ぐために、適宜の大きさのネットを上方のステー３に係着してごみ投入口を覆うようにする。
収集車によるごみの回収は、上からと、ネットの下方を引き上げて取り出す。
【図面の簡単な説明】
【０００７】
【図１】本発明の使用時の平面図である。
【図２】同じく使用時の側面図である。
【図３】同じく非使用時の平面図である。
【図４】同じく非使用時の側面図である。
【図５】図６中の支柱４の平面図である。
【図６】本発明の非使用時の折りたたみ状態を示す側面図である。
【図７】ステー３の平面図である。
【図８】ステー３の水平固定を示す側面図である。
【図９】枠１、ネット２を、水平持ち上げの状態を示す平面図である。
【図１０】同じく側面図である。
【図１１】枠１、ネット２を、円に形成した平面図である。
【符号の説明】
【０００８】    １  枠
２  ネット
３  ステー
４  支柱
５  カバー
【図１】
2005231893.tif 000003
【図２】
2005231893.tif 000004
【図３】
2005231893.tif 000005
【図４】
2005231893.tif 000006
【図５】
2005231893.tif 000007
【図６】
2005231893.tif 000008
【図７】
2005231893.tif 000009
【図８】
2005231893.tif 000010
【図９】
2005231893.tif 000011
【図１０】
2005231893.tif 000012
【図１１】
2005231893.tif 000013